(57)【要約】【課題】照度センサが検知した照度に応じて機器の駆動、駆動停止の制御を行うことにより、電力消費を抑制し、それによって、十分な呼出待機時間を得ることのできる無線対応型インターホンシステムを提供する。【解決手段】無線アダプタ３は、ドアホン子器１とは直接接続されずに、親機２に有線接続され、無線増設親機４は、照度センサ４Ａと、無線通信部４１と、無線通信制御手段４０Ａとを備えており、無線通信制御手段４０Ａは、照度センサ４Ａの照度検知信号を判別して、照度が所定閾値未満のときには、無線通信部４１を作動させず、照度が所定閾値以上のときには、無線通信部４１の作動を開始するようにしている。【選択図】図１
2006270854.tif 000002
【特許請求の範囲】
【請求項１】
ドアホン子器とインターホン親機とを信号線で接続し、更に該インターホン親機に無線通信部を有した無線アダプタを接続して、無線増設親機を付加して構成された、無線対応型インターホンシステムであって、
上記無線アダプタは、上記ドアホン子器とは直接接続されずに、上記インターホン親機に有線接続され、
上記無線増設親機は、照度センサと、無線通信部と、無線通信制御手段とを備えており、
上記無線通信制御手段は、上記照度センサの照度検知信号を判別して、照度が所定閾値未満のときには、上記無線増設親機の無線通信部を駆動させず、照度が所定閾値以上のときには、上記無線増設親機の無線通信部の駆動を開始するようにしている、無線対応型インターホンシステム。
【請求項２】
ドアホン子器とインターホン親機とを信号線で接続し、更に該インターホン親機に無線アダプタを接続して、無線増設親機を付加して構成された、無線対応型インターホンシステムであって、
上記無線アダプタは、上記ドアホン子器とは接続せずに、上記インターホン親機に有線接続され、かつ、上記無線アダプタは、無線通信部と、無線アダプタ通信制御手段とを備えるとともに、上記無線増設親機は、第１の無線通信部と、それよりも消費電力の少ない間欠通信のための第２の無線通信部と、照度センサと、無線増設親機通信制御手段とを備えており、
上記無線増設親機通信制御手段は、上記照度センサの照度検知信号を判別して、照度が所定閾値未満のときには、上記第１、第２の無線通信部を駆動せず、照度が所定閾値以上のときには、上記第２の無線通信部のみの駆動を開始し、その後は、上記無線アダプタから上記親機からの呼出信号に基づく通話呼出信号を受けるまでの期間は、上記第２の無線通信部のみを駆動して、上記無線アダプタとの間で間欠通信を行う一方、更に、その状態で上記無線アダプタから上記通話呼出信号を受けた後は、上記第２の無線通信部の駆動を停止し、上記第１の無線通信部の駆動を開始させて、上記無線アダプタとの間で、上記無線増設親機が上記インターホン親機を通じて上記ドアホン子器、または上記親機との間での通話を可能にする通信処理を実行する構成とされている、無線対応型インターホンシステム。
【発明の詳細な説明】
【技術分野】
【０００１】
本発明は、ドアホン子器とインターホン親機とを信号線で接続し、更に該インターホン親機に無線アダプタを接続して、無線増設親機を付加して構成された、無線対応型インターホンシステムの改良に関する。
【背景技術】
【０００２】
この種の無線対応型インターホンシステムは、一戸建住宅などで使用されている。
【０００３】
下記特許文献１は、この種の無線対応型インターホンシステムを開示しており、カメラ付ドアホン子器を２線式信号線で接続したテレビインターホン親機と、このテレビインターホン親機に有線接続された無線アダプタと、この無線アダプタとの間で無線信号の送受をすることにより、テレビインターホン親機との間で信号送受を行うテレビインターホン無線増設親機とで構成されている。
【０００４】
この種のシステムでは、テレビインターホン親機がカメラ付ドアホン子器より呼出を受けた際には、無線アダプタに対して呼出信号を送出し、これを受けた無線アダプタが呼出信号を無線信号としてテレビインターホン無線増設親機に送出することによって、無線増設親機の傍の人が呼出に応える操作を入力すれば無線増設親機でも呼出音出力と、来客映像表示とを行わせるようにしている。
【０００５】
ところで、このようなシステムにおいて、テレビインターホン無線増設親機は、呼出待機時においても、無線アダプタとの間で無線通信を行っている。
【０００６】
すなわち、呼出待機時においては、無線アダプタから間欠的に確認要求信号を送出し、これに対する返信信号がテレビインターホン無線増設親機からあれば、無線アダプタは、テレビインターホン無線増設親機との間で必要な信号の送受を行って通信条件を確立しており、これにより、無線アダプタは、テレビインターホン親機から呼出信号を受信したときには、即座にテレビインターホン無線増設親機に呼出信号を送出できる。
【０００７】
ところが、このような間欠無線通信を行っているため、呼出待機時においても電力が消費され、そのため、乾電池などで駆動する無線増設親機が十分な呼出待機時間を得られないという問題があった。
【０００８】
一方、特許文献２には、光センサにより周辺の明るさを検知して、その明るさに応じて操作パネルの明るさを変化させることで消費電力の省エネを図った印字装置が開示されている。
【特許文献１】特開２０００−２２４３１６公報
【特許文献２】特開平７−２５１１１号公報
【発明の開示】
【発明が解決しようとする課題】
【０００９】
本発明は、照度センサが検知した照度に応じて機器の駆動、駆動停止の制御を行うことにより、無線増設親機の電力消費を抑制し、それによって、十分な呼出待機時間を得ることのできる無線対応型インターホンシステムを提供することを目的とするものである。
【００１０】
無線対応型インターホンシステムでは、上記のように、呼出待機時においても無線アダプタ、無線増設親機間で間欠通信を行うものであるが、無線増設親機の周辺に人がいない場合には、無線増設親機で呼出に応答する可能性は低く、そのため、呼出待機時に間欠通信を行う必要性は低い。
【００１１】
本発明は、そのような無線増設親機周辺の人の在、不在を、照度センサの計測結果つまり周囲の明るさにより判断させようとするものである。
【００１２】
また、照度センサを利用して無線増設親機の消費電力を抑制することによって、無線増設親機において、間欠通信をより低電力で行うようにすることを、第２の目的とする。
【課題を解決するための手段】
【００１３】
上記第１、第２の目的を達成するために、第１、第２の本発明は、ドアホン子器とインターホン親機とを信号線で接続し、更に該インターホン親機に無線通信部を有した無線アダプタを接続して、無線増設親機を付加して構成された、無線対応型インターホンシステムであって、次のような特徴を有している。
【００１４】
すなわち、第１の本発明である請求項１に記載の無線対応型インターホンシステムでは、無線アダプタは、ドアホン子器とは直接接続されずに、インターホン親機に有線接続され、無線増設親機は、照度センサと、無線通信部と、無線通信制御手段とを備えており、無線通信制御手段は、照度センサの照度検知信号を判別して、照度が所定閾値未満のときには、無線通信部を作動させず、照度が所定閾値以上のときには、無線通信部の作動を開始するようにしている。
【００１５】
第２の本発明である請求項２では、無線アダプタは、ドアホン子器とは接続せずに、親機に有線接続され、かつ、無線アダプタは、無線通信部と、無線アダプタ通信制御手段とを備えるとともに、無線増設親機は、第１の無線通信部と、それよりも消費電力の少ない間欠通信のための第２の無線通信部と、照度センサと、無線増設親機通信制御手段とを備えている。また無線増設親機通信制御手段は、照度センサの照度検知信号を判別して、照度が所定閾値未満のときには、第１、第２の無線通信部を駆動せず、照度が所定閾値以上のときには、第２の無線通信部のみの駆動を開始し、その後は、無線アダプタから上記親機からの呼出信号に基づく通話呼出信号を受けるまでの期間は、第２の無線通信部のみを駆動して、無線アダプタとの間で間欠通信を行う一方、更に、その状態で無線アダプタから通話呼出信号を受けた後は、第２の無線通信部の駆動を停止し、第１の無線通信部の駆動を開始させて、無線アダプタとの間で、無線増設親機が親機を通じてドアホン子器、またはインターホン親機との間での通話を可能にする通信処理を実行する構成とされている。
【発明の効果】
【００１６】
第１、第２の本発明によれば、無線増設親機に照度センサを設け、照度センサの検知した照度のレベルに応じて、無線増設機に設けた無線通信部の駆動、駆動停止を行うようにしているので、照度が十分に低いときには人が応答する可能性が低いものと判断して、そのときには無線通信部の駆動を停止させて間欠通信や呼出による無線通信を行わないようにしており、その結果、電力消費を抑制させることができ、電池で駆動する無線増設親機の呼出待機時間を十分に確保することができる。
【００１７】
また、第２の本発明である請求項２では、無線アダプタ、無線増設親機の双方が第１の無線通信部と、それよりも消費電力の少ない間欠通信のための第２の無線通信部とを備えているため、間欠通信を行うときには第２の無線通信部で通信を行い、そのため消費電力を抑えることができ、省エネ効果を上げることができる。
【発明を実施するための最良の形態】
【００１８】
以下に、本発明の実施の形態について説明する。なお、本実施の形態においては、無線対応型テレビインターホンシステムに適用した例を示している。
【実施例１】
【００１９】
図１は、第１の本発明システムの基本構成の一例を模式的に示す図である。
【００２０】
第１の本発明システムは、テレビインターホン親機２と、テレビインターホン親機２に有線接続されたカメラ付ドアホン子器１と、無線アダプタ３と、テレビインターホン無線増設親機４とを備えている。
【００２１】
ここで、無線アダプタ３は、カメラ付ドアホン子器１とは直接接続されず、テレビインターホン親機２から導出した２線式の信号線Ｌに接続される。
【００２２】
２線式信号線Ｌは、２線式平衡ケーブルなどで構成されており、この信号線Ｌには、音声信号、映像信号、呼出信号を含むシステム制御信号などが周波数多重方式で重畳されたものが伝送される。
【００２３】
第１の本発明では、無線アダプタ３、テレビインターホン無線増設親機４のそれぞれは、無線通信制御を行う通信制御手段３０Ａ、４０Ａと、制御信号、音声信号、映像信号の無線通信を行うための無線通信部３１、４１とを備えている。
【００２４】
また、テレビインターホン無線増設親機４は、周囲の明るさを計測する照度センサ４Ａを設け、後述するように、計測した照度により無線通信部４１の駆動と駆動停止を切り換えている。つまり、周囲が暗い場合には、人が存在しないものと想定して、その場合にはテレビインターホン無線増設親機４を利用する可能性が低いと判断し、無線通信を不能にしている。
【００２５】
次に、カメラ付ドアホン子器１からの呼出動作について説明する。
【００２６】
カメラ付ドアホン子器１で呼出があれば、信号線Ｌの電圧値が変動するので、この変動をテレビインターホン親機２が検知し、呼出を受けたことを認識する。すると、テレビインターホン親機２は呼出音出力などの呼出動作をするとともに、呼出信号を無線アダプタ３に送出する。無線アダプタ３は、呼出信号を受けると、その呼出信号を無線信号の形式で、テレビインターホン無線増設親機４に向けて送出する。なお、本明細書では、この無線信号形式の無線アダプタ３からの呼出信号を通話呼出信号と呼び、テレビインターホン親機２が発する呼出信号と区別している。
【００２７】
呼出動作をしているテレビインターホン親機２で応答があれば、カメラ付ドアホン子器１との間で通話路が形成され通話可能となる。
【００２８】
一方、通話呼出信号を受けたテレビインターホン無線増設親機４も、呼出動作を行って住人を呼び出し、応答があれば、テレビインターホン無線増設親機４とカメラ付ドアホン子器１とで通話路が形成され、通話可能となる。
【００２９】
なお、テレビインターホン親機２、テレビインターホン無線増設親機４で呼出動作がなされると、これらのうちの最初に応答したものと、カメラ付ドアホン子器１との間で通話路が形成される。
【００３０】
また、カメラ付ドアホン子器１の呼出待機時においては、無線アダプタ３とテレビインターホン無線増設親機４との間で無線信号の間欠送受を行って、無線アダプタ３とテレビインターホン無線増設親機４との無線通信条件を確立している。
【００３１】
無線アダプタ３、テレビインターホン無線増設親機４は、それぞれ上記の１つの無線通信部３１、４１を有した構成によって、呼出による無線通信と呼出待機時の間欠通信の両方が実行される。
【００３２】
図２は、第１の本発明システムの基本構成の一例を示すブロック図である。
【００３３】
カメラ付ドアホン子器１は、信号処理部１０、スピーカＳＰに出力される音声信号のレベルを増幅するスピーカアンプＡ１、マイクＭＩＣより入力された音声信号のレベルを増幅するマイクアンプＡ２、カメラ１１、呼出釦１２を備えている。
【００３４】
テレビインターホン親機２は、信号処理部２０、スピーカＳＰに出力される音声信号のレベルを増幅するスピーカアンプＡ１、マイクＭＩＣを通じて入力された音声信号のレベルを増幅するマイクアンプＡ２、モニタ２１、操作釦２２を備えている。
【００３５】
無線アダプタ３は、無線アダプタ通信制御手段３０Ａを有する信号処理部３０、アンテナＡＮＴ１を有する無線通信部３１を備えている。
【００３６】
無線通信部３１は、テレビインターホン無線増設親機４との間で、音声信号、映像信号の送受を行って、テレビインターホン無線増設親機４とカメラ付ドアホン子器１との通話を可能にするとともに、テレビインターホン親機１からの呼出信号の受信を待機する呼出待機時においては、テレビインターホン無線増設親機４に対して、間欠的に確認要求信号を送出し、これに対する確認返信信号を受信する。
【００３７】
無線アダプタ通信制御手段３０Ａは、呼出待機時には、無線通信部３１より、テレビインターホン無線増設親機４に間欠的に確認要求信号を送出し、確認返信信号を受信すれば、テレビインターホン無線増設親機４がスタンバイ状態にあることを判別し、その状態で、テレビインターホン親機２から呼出信号を受信したときには、無線通信部３１より通話呼出信号を送出し、少なくとも、通話に必要な信号の送受を開始する。
【００３８】
テレビインターホン無線増設親機４は、無線増設親機通信制御手段４０Ａを有する信号処理部４０、アンテナＡＮＴ１を有する無線通信部４１、照度センサ４Ａ、スピーカＳＰに出力される音声信号のレベルを増幅するスピーカアンプＡ１、マイクＭＩＣより入力された音声信号のレベルを増幅するマイクアンプＡ２、モニタ４３、操作釦４４を備えている。
【００３９】
無線通信部４１は、無線アダプタ３との間で、音声信号、音声信号の送受を行って、テレビインターホン無線増設親機４とカメラ付ドアホン子器１との通話を可能にするとともに、無線アダプタ３からのテレビインターホン親機１からの呼出信号の受信を待機する呼出待機時において、テレビインターホン無線増設親機４から間欠的に送出される確認要求信号を受信し、これに対して返信信号を送出する。
【００４０】
無線増設親機通信制御手段４０Ａは、呼出待機時には、無線アダプタ３から間欠的に送出される確認要求信号を受信する毎に、確認返信信号を送出する。そして、無線増設親機通信制御手段４０Ａは、無線アダプタ３から通話呼出信号を受信すると、少なくとも、通話に必要な信号の送受を開始する。
【００４１】
第１の本発明では、テレビインターホン無線増設親機４に設けた照度センサ４Ａによって周囲の明るさを判別し、暗いと判断したときには、無線通信部４１の駆動を停止させて無線通信不能な状態を維持するようにしている。
【００４２】
すなわち、そのような状態では、テレビインターホン無線増設親機４での呼出による無線通信は不能となるだけでなく、呼出待機時の間欠通信も行わないため、テレビインターホン無線増設親機４の周辺が暗く人が不在であると予想される場合の無駄な間欠通信が停止され、消費電力を抑えることができる。
【００４３】
次に、第１の本発明システムにおける、無線アダプタ３とテレビインターホン無線増設親機４のそれぞれの基本動作について説明する。
【００４４】
図３、図４はそれぞれ、無線アダプタ３、テレビインターホン無線増設親機４の基本動作を示したフローチャートである。
【００４５】
無線アダプタ３は、図３に示すように、電源投入をすれば、無線通信部３２を駆動し、呼出待機の状態となる（１００、１０１）。
【００４６】
テレビインターホン親機２から呼出信号を受信しない間は、テレビインターホン無線増設親機４と、無線通信条件を確立させるための間欠通信を行い、テレビインターホン無線増設親機４から確認返信信号を受けると返信フラグをセットし、確認返信信号を受信しないあいだはフラグをリセットしておく（１０２〜１０４）。
【００４７】
そして、呼出待機の状態において、テレビインターホン親機２から呼出信号を受信したときには、返信フラグを参照して返信フラグがセットされていなければ、つまり無線通信条件が確立していなければ、テレビインターホン親機２に対して、テレビインターホン無線増設親機４が不在の旨を返信する（１０２、１０５、１０６）。
【００４８】
一方、テレビインターホン親機２から呼出信号を受信したときに、返信フラグがセットされていれば、通話呼出信号を送出してから、テレビインターホン親機２からデータが送信されてくるのを一定時間待ち、その間に無線増設親機４が音声や映像を受信できる状態にあることを確認したうえで、一定時間内にテレビインターホン親機２から映像信号や音声信号を受信すると、テレビインターホン無線増設親機４とで無線通信部３１を介した信号の相互通信を行い、テレビインターホン無線増設親機４とカメラ付ドアホン子器１とで通話が開始され、通話が終了すれば、ステップ１０２の呼出待機状態に戻る（１０２、１０５、１０７〜１１０）。
【００４９】
また、一定時間内に映像信号や音声信号を受信しなかった場合には、ステップ１０２の呼出待機状態に戻る（１０８、１１１）。
【００５０】
一方、テレビインターホン無線増設親機４は、図４に示すように、電源投入をすれば、照度センサ４Ａを作動させ、照度センサ４Ａの検知したデータが閾値未満かどうかを判断し、閾値未満であれば無線通信部４１の駆動を停止させる（２００〜２０３）。そして、その後も照度センサ４Ａによる照度データチェックを繰り返す。
【００５１】
照度センサ４Ａの検知データが閾値以上と判断したときは、無線通信部４１を駆動し、ついで無線アダプタ３から確認要求信号が送信されてくると確認返信信号を送出し、通話呼出信号が送信されてくるまで、この間欠通信を繰り返す（２０２、２０４〜２０７）。
【００５２】
この間欠通信を繰り返している間でも、照度センサ４Ａの検知データが閾値未満になれば、無線通信部４１の駆動が停止され（２０２、２０３）、テレビインターホン無線増設親機４は休眠状態となる。
【００５３】
無線通信部４１が駆動しているときに、無線アダプタ３から通話呼出信号を受けると、呼出音を出力し、それに対する操作による応答を一定時間待ち、応答があれば、無線アダプタ３との間で、無線通信部４１を介した信号の相互通信を行い、テレビインターホン無線増設親機４とカメラ付ドアホン子器１とで通話が開始され、通話が終了すれば、ステップ２０２の呼出待機状態に戻る（２０７〜２１１）。
【００５４】
また、一定時間内に映像信号や音声信号を受信しなかった場合には、ステップ２０２の呼出待機状態に戻る（２０９、２１２）。
【００５５】
以上のように、テレビインターホン無線増設親機４に照度センサ４Ａを設け、そのセンサ４Ａの照度検知データの閾値チェックにより、周囲の明るさを判断して、所定の暗さを判別したときには無線通信部４１の駆動を停止させて、テレビインターホン無線増設親機４を休眠状態にしているため、その間は呼出待機時の間欠通信を停止させることができ、その結果、電力消費を抑制することができ、乾電池などで駆動する無線増設親機の呼出待機時間を十分に確保することができる。
【実施例２】
【００５６】
図５は、第２の本発明システムの基本構成の一例を模式的に示す図である。
【００５７】
第２の本発明システムは、テレビインターホン親機２と、テレビインターホン親機２に有線接続されたカメラ付ドアホン子器１と、無線アダプタ３と、テレビインターホン無線増設親機４とを備えている。
【００５８】
ここで、無線アダプタ３は、カメラ付ドアホン子器１とは直接接続されず、テレビインターホン親機２から導出した２線式の信号線Ｌに接続される。
【００５９】
２線式信号線Ｌは、２線式平衡ケーブルなどで構成されており、この信号線Ｌには、システムの電源をベースにして、音声信号、映像信号、呼出信号を含むシステム制御信号などが周波数多重方式で重畳されたものが伝送される。なお、映像信号を伝送する同軸ケーブル、制御信号、音声信号、電源を伝送する信号線、電源線で接続したものであってもよい。
【００６０】
第２の本発明では、無線アダプタ３、テレビインターホン無線増設親機４のそれぞれは、無線通信制御を行う通信制御手段３０Ａ、４０Ａと、呼出による制御信号、音声信号、映像信号の無線通信を行うための第１の無線通信部３１、４１と、呼出待機時に間欠通信を行うための第２の無線通信部３２、４２とを備えている。
【００６１】
また、テレビインターホン無線増設親機４は、周囲の明るさを計測する照度センサ４Ａを設け、後述するように、計測した照度により第１、第２の無線通信部４１、４２の駆動と駆動停止を切り換えている。つまり、周囲が暗い場合には、人が存在しないものと想定して、その場合にはテレビインターホン無線増設親機４を利用する可能性が低いと判断し、無線通信を不能にしている。
【００６２】
次に、カメラ付ドアホン子器１からの呼出動作について説明する。
【００６３】
カメラ付ドアホン子器１で呼出があれば、信号線Ｌの電圧値が変動するので、この変動をテレビインターホン親機２が検知し、呼出を受けたことを認識する。すると、テレビインターホン親機２は呼出音出力などの呼出動作をするとともに、呼出信号を無線アダプタ３に送出する。無線アダプタ３は、呼出信号を受けると、第１の無線通信部３１がその呼出信号を無線信号の形式で、テレビインターホン無線増設親機４に向けて送出する。なお、この無線信号形式の呼出信号を通話呼出信号という。
【００６４】
呼出動作をしているテレビインターホン親機２で応答があれば、カメラ付ドアホン子器１との間で通話路が形成され通話可能となる。
【００６５】
一方、テレビインターホン無線増設親機４は、第１の無線通信部４１で通話呼出信号を受け、呼出動作を行って住人を呼び出し、応答があれば、テレビインターホン無線増設親機４とカメラ付ドアホン子器１とで通話路が形成され、通話可能となる。
【００６６】
なお、テレビインターホン親機２、テレビインターホン無線増設親機４で呼出動作がなされると、これらのうちの最初に応答したものと、カメラ付ドアホン子器１との間で通話路が形成される。
【００６７】
また、カメラ付ドアホン子器１の呼出待機時においては、無線アダプタ３とテレビインターホン無線増設親機４との間で無線信号の間欠送受を行って、無線アダプタ３とテレビインターホン無線増設親機４との無線通信条件を確立している。上述するように、この間欠通信は、第２の無線通信部３２、４２によって行われる。
【００６８】
なお、第２の本発明を構成する各機器の内部構成については、上述した第２の無線通信部３２、４２以外は同一であるため、ブロック図とその説明を省略する。
【００６９】
次に、第２の本発明システムにおける、無線アダプタ３とテレビインターホン無線増設親機４のそれぞれの基本動作について説明する。
【００７０】
図６、図７はそれぞれ、無線アダプタ３、テレビインターホン無線増設親機４の基本動作を示したフローチャートである。
【００７１】
無線アダプタ３は、図６に示すように、電源投入をすれば、第１の無線通信部３１の駆動を停止させ、第２の無線通信部３２のみを駆動し、呼出待機の状態となる（３００〜３０２）。
【００７２】
テレビインターホン親機２から呼出信号を受信しない間は、テレビインターホン無線増設親機４と、第２の無線通信部３２による無線通信を確立させるための間欠通信を行い、テレビインターホン無線増設親機４から確認返信信号を受けると返信フラグをセットし、確認返信信号を受信しないうちはリセットしておく（３０３〜３０５）。
【００７３】
そして、呼出待機の状態において、テレビインターホン親機２から呼出信号を受信したときには、返信フラグを参照して返信フラグがセットされていなければ、つまり無線通信が確立していなければ、テレビインターホン親機２に対して、テレビインターホン無線増設親機４が不在の旨を返信する（３０３、３０６、３０７）。
【００７４】
一方、テレビインターホン親機２から呼出信号を受信したときに、返信フラグがセットされていれば、通話呼出信号を送出してから、第１の無線通信部３１を駆動し、第２の無線通信部３２の駆動を停止し、テレビインターホン親機２からデータが送信されてくるのを一定時間待ち、一定時間内にテレビインターホン親機２から映像信号や音声信号を受信すると、テレビインターホン無線増設親機４とで第１の無線通信部３１を介した信号の相互通信を行い、テレビインターホン無線増設親機４とカメラ付ドアホン子器１とで通話が開始され、通話が終了すれば、ステップ１０２の呼出待機状態に戻る（３０３、３０６〜３１３）。
【００７５】
また、一定時間内に映像信号や音声信号を受信しなかった場合には、ステップ３０１の呼出待機状態に戻る（３１１、３１４）。
【００７６】
一方、テレビインターホン無線増設親機４は、図７に示すように、電源投入をすれば、照度センサ４Ａを作動させ、照度センサ４Ａの検知したデータが閾値未満かどうかを判断し、閾値未満であれば第１、第２の無線通信部４１、４２の駆動を停止させる（４００〜２０４）。そして、その後も照度センサ４Ａによる照度データチェックを繰り返す。
【００７７】
照度センサ４Ａの検知データが閾値以上と判断したときは、第１の無線通信部４１の駆動を停止し、第２の無線通信部４１のみを駆動し、ついで無線アダプタ３から確認要求信号が送信されてくると確認返信信号を送出し、通話呼出信号が送信されてくるまで、この間欠通信を繰り返す（４０２、４０５〜４０９）。
【００７８】
この間欠通信を繰り返している間でも、照度センサ４Ａの検知データが閾値未満になれば、第１、第２の無線通信部４１、４２の駆動は停止され（４０２〜４０４）、テレビインターホン無線増設親機４は休眠状態となる。
【００７９】
第２の無線通信部４２が駆動しているときに、無線アダプタ３から通話呼出信号を受けると、第２の無線通信部４２の駆動を停止し、第１の無線通信部４１を駆動させ、呼出音を出力し、それに対する操作による応答を一定時間待ち、応答があれば、無線アダプタ３との間で、無線通信部４１を介した信号の相互通信を行い、テレビインターホン無線増設親機４とカメラ付ドアホン子器１とで通話が開始され、通話が終了すれば、ステップ４０２の呼出待機状態に戻る（４０９〜４１５）。
【００８０】
また、一定時間内に映像信号や音声信号を受信しなかった場合には、ステップ４０２の呼出待機状態に戻る（４１３、４１６）。
【００８１】
以上のように、第２の本発明においても、テレビインターホン無線増設親機４に照度センサ４Ａを設け、そのセンサ４Ａの照度検知データの閾値チェックにより、周囲の明るさを判断して、所定の暗さを判別したときには無線通信部４１の駆動を停止させて、テレビインターホン無線増設親機４を休眠状態にしているため、その間は呼出待機時の間欠通信を停止させることができ、その結果、電力消費を抑制することができ、乾電池などで駆動する無線増設親機の呼出待機時間を十分に確保することができる。
【００８２】
さらに第２の本発明では、無線アダプタ３、無線増設親機４の双方が第１の無線通信部３１、４１と、それよりも消費電力の少ない間欠通信のための第２の無線通信部３２、４２とを備えているため、間欠通信を行うときには消費電力を低く抑えることができ、省エネ効果を上げることができる。
【図面の簡単な説明】
【００８３】
【図１】第１の本発明システムの基本構成の一例を模式的に示す図である。
【図２】第１の本発明システムの基本構成の一例を示すブロック図である。
【図３】第１の本発明における無線アダプタの基本動作の一例を示すフローチャートである。
【図４】第１の本発明におけるテレビインターホン無線増設親機の基本動作の一例を示すフローチャートである。
【図５】第２の本発明システムの基本構成の一例を模式的に示す図である。
【図６】第２の本発明における無線アダプタの基本動作の一例を示すフローチャートである。
【図７】第２の本発明におけるテレビインターホン無線増設親機の基本動作の一例を示すフローチャートである。
【符号の説明】
【００８４】
１      カメラ付ドアホン子器
２      テレビインターホン親機
３      無線アダプタ
３０Ａ      無線アダプタ通信制御手段
３１      （第１の）無線通信部
３２      第２の無線通信部
４      テレビインターホン無線増設親機
４０Ａ      通信制御手段
４１      （第１の）無線通信部
４２      第２の無線通信部
４Ａ      照度センサ
Ｌ  信号線
【図１】
2006270854.tif 000003
【図２】
2006270854.tif 000004
【図３】
2006270854.tif 000005
【図４】
2006270854.tif 000006
【図５】
2006270854.tif 000007
【図６】
2006270854.tif 000008
【図７】
2006270854.tif 000009